(57)【要約】【課題】物品の収容効率を高めるとともにコンテナに対する運搬用容器の収容効率を高めることができる運搬用容器を提供すること。【解決手段】鍔部を備える側壁同士が相互に水平方向に隣接するように当該運搬用容器１が相互に水平方向に隣接した状態において、一方の側壁の第２の鍔部１４の少なくとも一部と他方の側壁の第１の鍔部１３の少なくとも一部とが鉛直方向に重なるため、その重なっている分、運搬用容器の水平方向の外寸を大きくすることができるので、物品の最大収容数を増加させて物品の収容効率を高めることができる。しかも、コンテナに水平方向に収容する運搬用容器の数を増加させて、コンテナに対する運搬用容器の収容効率を高めるようにすることもできる。【選択図】図５
2019001520.tif 000002
【特許請求の範囲】
【請求項１】
相対向する一対の側壁と、物品を収容する収容部とを有し、上面が開口した運搬用容器本体を備えており、コンテナの内部に水平方向に複数収容可能な運搬用容器において、
前記一対の側壁は、外方に張り出した鍔部をそれぞれ備えており、
前記鍔部を備える側壁同士が相互に水平方向に隣接するように当該運搬用容器が相互に水平方向に隣接した状態において、一方の側壁の鍔部の少なくとも一部と他方の側壁の鍔部の少なくとも一部とが鉛直方向に重なるように構成されており、
さらに、前記各鍔部の先端が、前記収容部に収容された前記物品の突出した部位の水平位置よりも水平方向の外方にそれぞれ位置するように構成されていることを特徴とする運搬用容器。
【請求項２】
前記一方の側壁の上縁の少なくとも一部が切り欠き形成されており、その切り欠き形成された部分の鉛直上方に前記他方の側壁の鍔部の少なくとも一部が位置するように構成されていることを特徴とする請求項１に記載の運搬用容器。
【請求項３】
前記他方の側壁には段差部が形成されており、
前記一方の側壁の鍔部の少なくとも一部の鉛直上方に前記他方の側壁の段差部の少なくとも一部が位置するように構成されていることを特徴とする請求項１または請求項２に記載の運搬用容器。
【請求項４】
前記物品は、物品本体と、前記物品本体から突出した第１の突出部と、を備えており、
前記物品が前記他方の側壁を備える運搬用容器の前記収容部に収容されており、かつ、前記第１の突出部の先端を前記一方の側壁を備える運搬用容器の方に向けた状態において、前記第１の突出部の先端を含む一部と、前記一方の側壁の鍔部の少なくとも一部とが鉛直方向に重なるように構成されていることを特徴とする請求項１ないし請求項３のいずれか１項に記載の運搬用容器。
【請求項５】
前記物品は、物品本体と、前記物品本体から突出した第２の突出部と、を備えており、
前記物品が前記一方の側壁を備える運搬用容器の前記収容部に収容されており、かつ、前記第２の突出部の先端を前記他方の側壁を備える運搬用容器の方に向けた状態において、前記第２の突出部の先端を含む一部と、前記他方の側壁の鍔部の少なくとも一部とが鉛直方向に重なるように構成されていることを特徴とする請求項１ないし請求項４のいずれか１項に記載の運搬用容器。
【請求項６】
前記一方および他方の側壁の各鍔部には、持ち手用の切り欠き部がそれぞれ形成されており、
前記一方の側壁の鍔部に形成された持ち手用切り欠き部の少なくとも一部と前記他方の側壁の鍔部に形成された持ち手用切り欠き部の少なくとも一部とが鉛直方向に重なるように構成されていることを特徴とする請求項１ないし請求項５のいずれか１項に記載の運搬用容器。
【発明の詳細な説明】
【技術分野】
【０００１】
本発明は、コンテナの内部に水平方向に複数収容可能な運搬用容器に関する。
【背景技術】
【０００２】
従来、物品（ワーク）を運搬する手法として、物品が収容された運搬用容器をコンテナの内部に水平方向に複数収容し、そのコンテナを運搬する手法が知られている。
【先行技術文献】
【特許文献】
【０００３】
【特許文献１】実公平５−１８２６９号公報
【発明の概要】
【発明が解決しようとする課題】
【０００４】
しかし、前述した従来の手法では、運搬用容器をコンテナの内部に水平方向に複数収容する際に、運搬用容器の鍔部同士が干渉してデッドスペースが形成され、運搬用容器の水平方向の外寸が抑制されるため、運搬用容器に収容する物品の最大収容数を増加させて物品の収容効率を高めることが困難だった。
しかも、上記のデッドスペースが形成されることにより、コンテナに収容可能な運搬用容器の最大収容数が抑制されるため、コンテナに対する運搬用容器の収容効率を高めることも困難だった。
さらに、コンテナの内壁面近傍の運搬用容器に収容された物品の一部が、その運搬用容器の最外縁から、コンテナの内壁面に向けて突出している場合に、運搬時の振動や揺れにより、その突出している部分がコンテナの内壁面と接触して傷付くおそれがあった。
【０００５】
そこで、本発明は、上記の問題を解決するために創出されたものであって、物品の収容効率を高めるとともにコンテナに対する運搬用容器の収容効率を高めつつ、運搬用容器をコンテナの内部に水平方向に複数収容した状態でコンテナを運搬したときに、振動や揺れが発生した場合であっても、物品がコンテナの内壁面と接触するおそれのない運搬用容器を提供することを目的とする。
【課題を解決するための手段】
【０００６】
上述した目的を達成するため、本発明の運搬用容器は、相対向する一対の側壁と、物品を収容する収容部とを有し、上面が開口した運搬用容器本体を備えており、コンテナの内部に水平方向に複数収容可能な運搬用容器において、一対の側壁は、外方に張り出した鍔部をそれぞれ備えており、鍔部を備える側壁同士が相互に水平方向に隣接するように当該運搬用容器が相互に水平方向に隣接した状態において、一方の側壁の鍔部の少なくとも一部と他方の側壁の鍔部の少なくとも一部とが鉛直方向に重なるように構成されている。
さらに、各鍔部の先端が、収容部に収容された物品の突出した部位の水平位置よりも水平方向の外方にそれぞれ位置するように構成されている。
本発明の運搬用容器は、以上を第１の特徴とする。
なお、上記の外方とは、収容部に収容された物品から運搬用容器の外に向かう方向を意味する。
【０００７】
本発明の運搬用容器は、一対の側壁は、外方に張り出した鍔部をそれぞれ備えており、鍔部を備える側壁同士が相互に水平方向に隣接するように当該運搬用容器が相互に水平方向に隣接した状態において、一方の側壁の鍔部の少なくとも一部と他方の側壁の鍔部の少なくとも一部とが鉛直方向に重なるように構成されているため、その重なっている分、運搬用容器の水平方向の外寸を大きくすることができるので、物品の最大収容数を増加させて物品の収容効率を高めることができる。
しかも、コンテナに水平方向に収容する運搬用容器の数を増加させて、コンテナに対する運搬用容器の収容効率を高めるようにすることもできる。
【０００８】
さらに、各鍔部の先端が、収容部に収容された物品の突出した部位の水平位置よりも水平方向の外方にそれぞれ位置するように構成されているため、運搬用容器をコンテナの内部に水平方向に複数収容した状態でコンテナを運搬したときに、振動や揺れが発生した場合であっても、物品がコンテナの内壁面と接触するおそれがない。
【０００９】
また、本発明の運搬用容器は、前述した第１の特徴において、一方の側壁の上縁の少なくとも一部が切り欠き形成されており、その切り欠き形成された部分の鉛直上方に他方の側壁の鍔部の少なくとも一部が位置するように構成されていることを第２の特徴とする。
【００１０】
一方の側壁の上縁の少なくとも一部が切り欠き形成されており、その切り欠き形成された部分の鉛直上方に他方の側壁の鍔部の少なくとも一部が位置するため、相互に隣接する運搬用容器の鉛直方向において重なる部分を作ることができる。
したがって、その重なっている分、運搬用容器の水平方向の外寸を大きくすることができるので、水平方向における物品の最大収容数を増加させ、物品の収容効率を高めることができる。
また、コンテナに水平方向に収容する運搬用容器の数を増加させて、コンテナに対する運搬用容器の収容効率を高めるようにすることもできる。
【００１１】
また、本発明の運搬用容器は、前述した第１または第２の特徴において、他方の側壁には段差部が形成されており、一方の側壁の鍔部の少なくとも一部の鉛直上方に他方の側壁の段差部の少なくとも一部が位置するように構成されていることを第３の特徴とする。
【００１２】
他方の側壁には段差部が形成されており、一方の側壁の鍔部の少なくとも一部の鉛直上方に他方の側壁の段差部の少なくとも一部が位置するため、相互に隣接する運搬用容器の鉛直方向において重なる部分を作ることができる。
したがって、その重なっている分、運搬用容器の水平方向の外寸を大きくすることができるので、水平方向における物品の最大収容数を増加させ、物品の収容効率を高めることができる。
また、コンテナに水平方向に収容する運搬用容器の数を増加させて、コンテナに対する運搬用容器の収容効率を高めるようにすることもできる。
【００１３】
また、本発明の運搬用容器は、前述した第１ないし第３の特徴のいずれか１つにおいて、物品は、物品本体と、物品本体から突出した第１の突出部と、を備えており、物品が他方の側壁を備える運搬用容器の収容部に収容されており、かつ、第１の突出部の先端を一方の側壁を備える運搬用容器の方に向けた状態において、第１の突出部の先端を含む一部と、一方の側壁の鍔部の少なくとも一部とが鉛直方向に重なるように構成されていることを第４の特徴とする。
【００１４】
第１の突出部の先端を含む一部と、一方の側壁の鍔部の少なくとも一部とが鉛直方向に重なるため、その重なっている分、運搬用容器の水平方向の外寸を大きくすることができるので、水平方向における物品の最大収容数を増加させ、物品の収容効率を高めることができる。
また、コンテナに水平方向に収容する運搬用容器の数を増加させて、コンテナに対する運搬用容器の収容効率を高めるようにすることもできる。
【００１５】
また、本発明の運搬用容器は、前述した第１ないし第４の特徴のいずれか１つにおいて、物品は、物品本体と、物品本体から突出した第２の突出部と、を備えており、物品が一方の側壁を備える運搬用容器の収容部に収容されており、かつ、第２の突出部の先端を他方の側壁を備える運搬用容器の方に向けた状態において、第２の突出部の先端を含む一部と、他方の側壁の鍔部の少なくとも一部とが鉛直方向に重なるように構成されていることを第５の特徴とする。
【００１６】
第２の突出部の先端を含む一部と、他方の側壁の鍔部の少なくとも一部とが鉛直方向に重なるため、その重なっている分、運搬用容器の水平方向の外寸を大きくすることができるので、水平方向における物品の最大収容数を増加させ、物品の収容効率を高めることができる。
また、コンテナに水平方向に収容する運搬用容器の数を増加させて、コンテナに対する運搬用容器の収容効率を高めるようにすることもできる。
【００１７】
また、本発明の運搬用容器は、前述した第１ないし第５の特徴のいずれか１つにおいて、一方および他方の側壁の各鍔部には、持ち手用の切り欠き部がそれぞれ形成されており、一方の側壁の鍔部に形成された持ち手用切り欠き部の少なくとも一部と他方の側壁の鍔部に形成された持ち手用切り欠き部の少なくとも一部とが鉛直方向に重なるように構成されていることを第６の特徴とする。
【００１８】
一方の側壁の鍔部に形成された持ち手用切り欠き部の少なくとも一部と他方の側壁の鍔部に形成された持ち手用切り欠き部の少なくとも一部とが鉛直方向に重なるように構成されているため、一方の側壁の鍔部と他方の側壁の鍔部とが鉛直方向に重なった場合であっても、持ち手用の切り欠き部がなくならないようにすることができる。
したがって、持ち手用の切り欠き部を利用することができるため、コンテナに対する運搬用容器の収容作業および取出し作業を行い易い。
【発明の効果】
【００１９】
本発明の運搬用容器を実施すれば、物品の収容効率を高めるとともにコンテナに対する運搬用容器の収容効率を高めつつ、運搬用容器をコンテナの内部に水平方向に複数収容した状態でコンテナを運搬したときに、振動や揺れが発生した場合であっても、物品がコンテナの内壁面と接触するおそれのない運搬用容器を提供することができる。
【図面の簡単な説明】
【００２０】
【図１】本発明の実施形態に係る運搬用容器の上面の斜視図である。
【図２】図１に示す運搬用容器の下面の斜視図である。
【図３】物品の斜視図である。
【図４】図３に示す物品が収容された運搬用容器が水平方向に相互に隣接した状態の斜視図である。
【図５】図４に示す各運搬用容器がコンテナに収容された状態の平面図である。
【図６】図５の斜視図である。
【図７】図５のＡ−Ａ矢視断面図である。
【図８】図７において符号Ｄにて示す領域の拡大図である。
【図９】図５のＢ−Ｂ矢視断面図である。
【図１０】図９において符号Ｅにて示す領域の拡大図である。
【図１１】図５のＣ−Ｃ矢視断面図である。
【図１２】図１１において符号Ｆにて示す領域の拡大図である。
【図１３】図１１においてコンテナの側壁近傍に配置された運搬用容器の部分拡大図であり、（ａ）は第１の鍔部近傍の拡大図、（ｂ）は第２の鍔部近傍の拡大図である。
【発明を実施するための形態】
【００２１】
本発明の実施形態に係る運搬用容器について図を参照しつつ説明する。
図１は、本実施形態に係る運搬用容器の上面の斜視図であり、図２は、図１に示す運搬用容器の下面の斜視図である。図３は、物品の斜視図であり、図４は、図３に示す物品が収容された運搬用容器が水平方向に相互に隣接した状態の斜視図である。なお、以下の説明では、図１に示すように、運搬用容器１の短手方向に沿う方向をＸ方向とし、そのＸ方向と水平に直交する方向をＹ方向とする。また、Ｘ方向およびＹ方向を水平方向とし、水平方向と鉛直に直交する方向を鉛直方向とする。
【００２２】
［運搬用容器の構造］
最初に、本実施形態に係る運搬用容器の構造について説明する。
図１に示すように、本実施形態に係る運搬用容器１は、上面が開口した運搬用容器本体１Ａと、物品２０（図３）を収容する収容部８〜１２とを備える。図３に示すように、物品２０は、棒状の物品本体２３と、この物品本体２３の周面に設けられた環状体２４と、この環状体２４の周面から、物品本体２３の中心軸と直交する方向に突出した第１の突出部２１および第２の突出部２２を備える。第１の突出部２１の先端２１ａと第２の突出部２２の先端２２ａとは略１８０度反対方向を向いている。物品２０は、たとえば、等速ジョイントやステアリングシャフトなど、長尺状の物品本体から突出した部分を有するものである。
【００２３】
図１に示すように、収容部８〜１２は、それぞれ運搬用容器本体１Ａの短手方向（Ｘ方向）に沿って設けられている。収容部８〜１２は、それぞれ横長の略直方体形状に形成されており、間隔を隔てて相互に平行に配置されている。各収容部８〜１２の上面には、物品２０を嵌合するための嵌合凹部８ｇ〜８ｉ、９ｇ〜９ｉ、１０ｇ〜１０ｉ、１１ｇ〜１１ｉ、１２ｇ〜１２ｉがそれぞれ形成されている。収容部８は、運搬用容器本体１Ａの長手方向（Ｙ方向）に沿って形成された側壁８ａと、この側壁８ａと相対向する側壁（図１には表れていない）と、運搬用容器本体１Ａの短手方向（Ｘ方向）に沿って形成された側壁３ｃと、この側壁３ｃと対向する側壁（図１には表れていない）と、上面８ｃ〜８ｆと、上面８ｃ，８ｄ間に形成された嵌合凹部８ｇと、上面８ｄ，８ｅ間に形成された嵌合凹部８ｈと、上面８ｅ，８ｆ間に形成された嵌合凹部８ｉとを有する。上面８ｃ〜８ｆは、それぞれ平面に形成されている。嵌合凹部８ｇ〜８ｉは、それぞれ物品２０の物品本体２３の周面形状に対応した形状に形成されている。本実施形態では、嵌合凹部８ｇ〜８ｉは、縦断面が円弧状の内壁を有する凹形状にそれぞれ形成されている。
【００２４】
収容部９は、運搬用容器本体１Ａの長手方向（Ｙ方向）に沿って形成された側壁９ａと、この側壁９ａと相対向する側壁（図１には表れていない）と、運搬用容器本体１Ａの短手方向（Ｘ方向）に沿って形成された側壁４ｃと、この側壁４ｃと相対向する側壁（図１には表れていない）と、上面９ｃ〜９ｆと、上面９ｃ，９ｄ間に形成された嵌合凹部９ｇと、上面９ｄ，９ｅ間に形成された嵌合凹部９ｈと、上面９ｅ，９ｆ間に形成された嵌合凹部９ｉとを有する。上面９ｃ〜９ｆは、それぞれ平面に形成されている。嵌合凹部９ｇ〜９ｉは、それぞれ物品２０の物品本体２３の周面形状に対応した形状に形成されている。本実施形態では、嵌合凹部９ｇ〜９ｉは、縦断面が円弧状の内壁を有する凹形状にそれぞれ形成されている。
【００２５】
収容部１０は、運搬用容器本体１Ａの長手方向（Ｙ方向）に沿って形成された側壁１０ａと、この側壁１０ａと相対向する側壁（図１には表れていない）と、運搬用容器本体１Ａの短手方向（Ｘ方向）に沿って形成された側壁５ｃと、この側壁５ｃと相対向する側壁（図１には表れていない）と、上面１０ｃ〜１０ｆと、上面１０ｃ，１０ｄ間に形成された嵌合凹部１０ｇと、上面１０ｄ，１０ｅ間に形成された嵌合凹部１０ｈと、上面１０ｅ，１０ｆ間に形成された嵌合凹部１０ｉとを有する。上面１０ｃ〜１０ｆは、それぞれ平面に形成されている。上面１０ｃは左側に配置された物品２０の第１の突出部２１（図３）を支持し、上面１０ｄは中央に配置された物品２０の第１の突出部２１を支持し、上面１０ｅは右側に配置された物品２０の第１の突出部２１を支持する（図４，図５）。嵌合凹部１０ｇ〜１０ｉは、それぞれ物品２０の環状体２４の周面形状に対応した形状に形成されている。本実施形態では、嵌合凹部１０ｇ〜１０ｉは、縦断面が円弧状の内壁を有する凹形状にそれぞれ形成されている。
【００２６】
収容部１１は、運搬用容器本体１Ａの長手方向（Ｙ方向）に沿って形成された側壁１１ａと、この側壁１１ａと相対向する側壁（図１には表れていない）と、運搬用容器本体１Ａの短手方向（Ｘ方向）に沿って形成された側壁６ｃと、この側壁６ｃと相対向する側壁（図１には表れていない）と、上面１１ｃ〜１１ｆと、上面１１ｃ，１１ｄ間に形成された嵌合凹部１１ｇと、上面１１ｄ，１１ｅ間に形成された嵌合凹部１１ｈと、上面１１ｅ，１１ｆ間に形成された嵌合凹部１１ｉとを有する。上面１１ｃ〜１１ｆは、それぞれ平面に形成されている。嵌合凹部１１ｇ〜１１ｉは、それぞれ物品２０の物品本体２３の周面形状に対応した形状に形成されている。本実施形態では、嵌合凹部１１ｇ〜１１ｉは、縦断面が円弧状の内壁を有する凹形状にそれぞれ形成されている。
【００２７】
収容部１２は、運搬用容器本体１Ａの長手方向（Ｙ方向）に沿って形成された側壁１２ａと、この側壁１２ａと相対向する側壁（図１には表れていない）と、運搬用容器本体１Ａの短手方向（Ｘ方向）に沿って形成された側壁７ｃと、この側壁７ｃと相対向する側壁（図１には表れていない）と、上面１２ｃ〜１２ｆと、上面１２ｃ，１２ｄ間に形成された嵌合凹部１２ｇと、上面１２ｄ，１２ｅ間に形成された嵌合凹部１２ｈと、上面１２ｅ，１２ｆ間に形成された嵌合凹部１２ｉとを有する。上面１２ｃ〜１２ｆは、それぞれ平面に形成されている。嵌合凹部１２ｇ〜１２ｉは、それぞれ物品２０の物品本体２３の周面形状に対応した形状に形成されている。本実施形態では、嵌合凹部１２ｇ〜１２ｉは、縦断面が円弧状の内壁を有する凹形状にそれぞれ形成されている。
【００２８】
図４に示すように、運搬用容器本体１Ａは３個の物品２０を収容するように構成されている。収容された各物品２０の物品本体２３の周面同士が平行になっており、かつ、物品本体２３間は一定距離離れている。左側に収容された物品２０は、嵌合凹部８ｇ，９ｇ，１０ｇ，１１ｇ，１２ｇに収容されている。また、中央に収容された物品２０は、嵌合凹部８ｈ，９ｈ，１０ｈ，１１ｈ，１２ｈに収容されている。また、右側に収容された物品２０は、嵌合凹部８ｉ，９ｉ，１０ｉ，１１ｉ，１２ｉに収容されている。各物品２０の各環状体２４は、それぞれ嵌合凹部１０ｇ，１０ｈ，１０ｉに嵌合されている。
【００２９】
また、図２に示すように、運搬用容器本体１Ａは、箱状部２〜７を備える。箱状部２〜７は、それぞれ上面が開口した箱状に形成されている。箱状部２〜７は、運搬用容器本体１Ａの短手方向（Ｘ方向）に沿って形成されており、運搬用容器本体１Ａの底壁と４つの側壁とを形成している。また、図１に示した収容部８〜１２と箱状部２〜７とは交互に形成されている。箱状部２は運搬用容器本体１Ａの長手方向（Ｙ方向）の一端側において短手方向に沿って形成されており、箱状部７は運搬用容器本体１Ａの長手方向（Ｙ方向）の他端側において短手方向（Ｘ方向）に沿って形成されている。箱状部２は、底壁２ａと、この底壁２ａのうち、運搬用容器本体１Ａの長手方向（Ｙ方向）に沿って形成された第１の側縁２ｅから上方（図２では下方）に延びた第１の側壁２ｂと、第１の側縁２ｅと相対向する第２の側縁２ｆから上方（図２では下方）に延びた第２の側壁（図２では表れていない）とを有する。また、箱状部２は、底壁２ａのうち、運搬用容器本体１Ａの短手方向（Ｘ方向）に沿って形成された第３の側縁２ｇから上方（図２では下方）に延びた側壁２ｃと、第３の側縁２ｇと相対向する第４の側縁２ｈから上方（図２では下方）に延びた側壁（図２では表れていない）とを有する。側壁２ｃが運搬用容器本体１Ａの長手方向（Ｙ方向）の一端に形成された第３の側壁である。
【００３０】
箱状部７は、底壁７ａと、この底壁７ａのうち、運搬用容器本体１Ａの長手方向（Ｙ方向）に沿って形成された第１の側縁７ｅから上方（図２では下方）に延びた第１の側壁７ｂと、第１の側縁７ｅと相対向する第２の側縁７ｆから上方（図２では下方）に延びた第２の側壁７ｊ（図７，図８）とを有する。また、箱状部７は、底壁７ａのうち、運搬用容器本体１Ａの短手方向（Ｘ方向）に沿って形成された第３の側縁７ｇから上方（図２では下方）に延びた側壁７ｃと、第３の側縁７ｇと相対向する第４の側縁７ｈから上方（図２では下方）に延びた側壁７ｄ（図１）とを有する。側壁７ｄが運搬用容器本体１Ａの長手方向（Ｙ方向）の他端に形成された第４の側壁である。
【００３１】
箱状部２と所定間隔を隔てて形成された箱状部３は、底壁３ａと、この底壁３ａのうち、運搬用容器本体１Ａの長手方向（Ｙ方向）に沿って形成された第１の側縁３ｅから上方（図２では下方）に延びた第１の側壁３ｂと、第１の側縁３ｅと相対向する第２の側縁３ｆから上方（図２では下方）に延びた第２の側壁（図２では表れていない）とを有する。また、箱状部３は、底壁３ａのうち、運搬用容器本体１Ａの短手方向（Ｘ方向）に沿って形成された第３の側縁３ｇから上方（図２では下方）に延びた側壁３ｃと、第３の側縁３ｇと相対向する第４の側縁３ｈから上方（図２では下方）に延びた側壁（図２では表れていない）とを有する。側壁３ｃは収容部８の側壁でもあり、図１では側壁３ｃの表面が露出しており、図２では側壁３ｃの裏面が露出している。収容部８（図１）のうち、運搬用容器本体１Ａの長手方向（Ｙ方向）に沿った長さを収容部８の幅とすると、箱状部２と箱状部３とは、収容部８の幅と略同じ長さ離れている。
【００３２】
箱状部３と所定間隔を隔てて形成された箱状部４は、底壁４ａと、この底壁４ａのうち、運搬用容器本体１Ａの長手方向（Ｙ方向）に沿って形成された第１の側縁４ｅから上方（図２では下方）に延びた第１の側壁４ｂと、第１の側縁４ｅと相対向する第２の側縁４ｆから上方（図２では下方）に延びた第２の側壁（図２では表れていない）とを有する。また、箱状部４は、底壁４ａのうち、運搬用容器本体１Ａの短手方向（Ｘ方向）に沿って形成された第３の側縁４ｇから上方（図２では下方）に延びた側壁４ｃと、第３の側縁４ｇと相対向する第４の側縁４ｈから上方（図２では下方）に延びた側壁（図２では表れていない）とを有する。側壁４ｃは収容部９の側壁でもあり、図１では側壁４ｃの表面が露出しており、図２では側壁４ｃの裏面が露出している。収容部９（図１）のうち、運搬用容器本体１Ａの長手方向（Ｙ方向）に沿った長さを収容部９の幅とすると、箱状部３と箱状部４とは、収容部９の幅と略同じ長さ離れている。
【００３３】
箱状部４と所定間隔を隔てて形成された箱状部５は、底壁５ａと、この底壁５ａのうち、運搬用容器本体１Ａの長手方向（Ｙ方向）に沿って形成された第１の側縁５ｅから上方（図２では下方）に延びた第１の側壁５ｂと、第１の側縁５ｅと相対向する第２の側縁５ｆから上方（図２では下方）に延びた第２の側壁（図２では表れていない）とを有する。また、箱状部５は、底壁５ａのうち、運搬用容器本体１Ａの短手方向（Ｘ方向）に沿って形成された第３の側縁５ｇから上方（図２では下方）に延びた側壁５ｃと、第３の側縁５ｇと相対向する第４の側縁５ｈから上方（図２では下方）に延びた側壁（図２では表れていない）とを有する。側壁５ｃは収容部１０の側壁でもあり、図１では側壁５ｃの表面が露出しており、図２では側壁５ｃの裏面が露出している。収容部１０（図１）のうち、運搬用容器本体１Ａの長手方向（Ｙ方向）に沿った長さを収容部１０の幅とすると、箱状部４と箱状部５とは、収容部１０の幅と略同じ長さ離れている。
【００３４】
箱状部５と所定間隔を隔てて形成された箱状部６は、底壁６ａと、この底壁６ａのうち、運搬用容器本体１Ａの長手方向（Ｙ方向）に沿って形成された第１の側縁６ｅから上方（図２では下方）に延びた第１の側壁６ｂと、第１の側縁６ｅと相対向する第２の側縁６ｆから上方（図２では下方）に延びた第２の側壁６ｊ（図９，図１０）とを有する。また、箱状部６は、底壁６ａのうち、運搬用容器本体１Ａの短手方向（Ｘ方向）に沿って形成された第３の側縁６ｇから上方（図２では下方）に延びた側壁６ｃと、第３の側縁６ｇと相対向する第４の側縁６ｈから上方（図２では下方）に延びた側壁（図２では表れていない）とを有する。側壁６ｃは収容部１１の側壁でもあり、図１では側壁６ｃの表面が露出しており、図２では側壁６ｃの裏面が露出している。収容部１１（図１）のうち、運搬用容器本体１Ａの長手方向（Ｙ方向）に沿った長さを収容部１１の幅とすると、箱状部５と箱状部６とは、収容部１１の幅と略同じ長さ離れている。
【００３５】
上述したように、運搬用容器本体１Ａの底壁は複数の底壁２ａ，３ａ，４ａ，５ａ，６ａ，７ａから構成されている。換言すると、運搬用容器本体１Ａの底壁は複数の底壁に分割されている。また、運搬用容器本体１Ａの長手方向（Ｙ方向）に沿った第１の側壁は、第１の側壁２ｂ，３ｂ，４ｂ，５ｂ，６ｂ，７ｂから構成されている。換言すると、運搬用容器本体１Ａの第１の側壁は複数の第１の側壁に分割されている。また、運搬用容器本体１Ａの第１の側壁と相対向する第２の側壁も、第２の側壁６ｊ（図９，図１０）および第２の側壁７ｊ（図７，図８）を含む複数の第２の側壁（図２では表れていない）から構成されている。換言すると、運搬用容器本体１Ａの第２の側壁は複数の第２の側壁に分割されている。以下、第１の側壁２ｂ〜７ｂを総称して第１の側壁群といい、第１の側壁群と相対向する各第２の側壁を第２の側壁群という。
【００３６】
ここで、収容部８〜１２に収容された物品２０から第１の側壁群に向かう方向（図１において左方）を第１の方向とし、物品２０から第２の側壁群に向かう方向（図１において右方）を第２の方向とする。図２に示すように、第１の側壁２ｂの上端２ｉと、第１の側壁３ｂの上端３ｉと、第１の側壁４ｂの上端４ｉと、第１の側壁５ｂの上端５ｉと、第１の側壁６ｂの上端６ｉと、第１の側壁７ｂの上端７ｉとから第１の方向に第１の鍔部１３が張り出している。つまり、第１の側壁群の上端から第１の方向に第１の鍔部１３が張り出している。換言すると、第１の側壁群の上端から、運搬用容器本体１Ａの外方に第１の鍔部１３が張り出している。また、図１に示すように、第１の鍔部１３は、各収容部８〜１２の各側壁８ａ〜１２ａと相対向する各側壁（図１では表れていない）の各下端から第１の方向にも張り出して形成されている。図８に示すように、箱状部７の第１の側壁７ｂの上端７ｉから形成された第１の鍔部１３は、第１の方向に張り出した下部張出部１３ｇと、この下部張出部１３ｇの先端から上方に延びた側壁１３ｅと、この側壁１３ｅの上端から第１の方向に張り出した上部張出部１３ｆとを備える。また、図示しないが、箱状部５の第１の側壁５ｂの上端５ｉから形成された第１の鍔部１３と、箱状部４の第１の側壁４ｂの上端４ｉから形成された第１の鍔部１３と、箱状部２の第１の側壁２ｂの上端２ｉから形成された第１の鍔部１３とは、それぞれ下部張出部１３ｇ、側壁１３ｅおよび上部張出部１３ｆをそれぞれ備える。
【００３７】
また、図２に示すように、第１の鍔部１３のうち、第１の側壁３ｂの上端３ｉに沿った所定範囲（図１では収容部８，９間の間隔と対応する範囲）には持ち手用の第１の切り欠き部１３ａが切り欠き形成されている。また、第１の鍔部１３のうち、第１の側壁６ｂの上端６ｉに沿った所定範囲（図１では収容部１１，１２間の間隔と対応する範囲）には持ち手用の第１の切り欠き部１３ｂが切り欠き形成されている。図１０に示すように、持ち手用の第１の切り欠き部１３ｂが形成されている部分の第１の鍔部１３は、持ち手用の第１の切り欠き部１３ｂが形成されていない部分（図８）と比較して、下部張出部１３ｇの第１の方向に対する張出し長さが短くなっている。また、図示しないが、持ち手用の第１の切り欠き部１３ａが形成されている部分の第１の鍔部１３も、同様に、下部張出部１３ｇの第１の方向に対する張出し長さが短くなっている。このように、第１の鍔部１３は、持ち手用の第１の切り欠き部１３ａ，１３ｂが形成されている部分と形成されていない部分とで形状が異なる。
さらに、図１および図２に示すように、第１の鍔部１３の長手方向（Ｙ方向）の両端角部ｋ１．ｋ２は、それぞれＲ形状に形成されている。
【００３８】
第１の側壁２ｂと相対向する第２の側壁の上端（図２には表れていない）と、第１の側壁３ｂと相対向する第２の側壁の上端（図２には表れていない）と、第１の側壁４ｂと相対向する第２の側壁の上端（図２には表れていない）と、第１の側壁５ｂと相対向する第２の側壁の上端（図２には表れていない）と、第１の側壁６ｂと相対向する第２の側壁６ｊの上端６ｋ（図１０）と、第１の側壁７ｂと相対向する第２の側壁７ｊの上端７ｋ（図８）とから第２の方向に第２の鍔部１４が張り出している。つまり、第２の側壁群の上端から第２の方向に第２の鍔部１４が張り出している。換言すると、第２の側壁群の上端から、運搬用容器本体１Ａの外方に第２の鍔部１４が張り出している。また、図１に示すように、第２の鍔部１４は、各収容部８〜１２の各側壁８ａ〜１２ａの各下端から第２の方向に所定距離移動した部分にも形成されている。図８および図１０に示すように、第２の鍔部１４は、第２の側壁群の上端から第２の方向に張り出した張出部１４ｃを備える。
【００３９】
図１に示すように、第２の側壁群の上端は切り欠き形成されており、その切り欠き形成された上端から第２の鍔部１４が第２の方向に張り出している。第２の側壁群の高さは第１の側壁群よりも低く、第２の鍔部１４は第１の鍔部１３よりも低い位置に形成されている。また、側壁２ｃの上端１５の第２の方向の角部には切り欠き部１７が形成されており、側壁７ｄの上端１６の第２の方向の角部には切り欠き部１８が形成されている。切り欠き部１７，１８は、第２の鍔部１４の上面１４ｅと連続している。切り欠き部１７，１８は、第２の方向に隣接する他方の運搬用容器１の第１の鍔部１３を重ねるときに、その他方の運搬用容器１の角部ｋ１，ｋ２と干渉しないように形成されている。
つまり、第２の鍔部１４の高さを第１の鍔部１３よりも低くするとともに、切り欠き部１７，１８を形成することにより、第２の鍔部１４の鉛直上方に、第２の方向に隣接する他方の運搬用容器１の第１の鍔部１３の少なくとも一部を重ねることができるように構成されている（図７，図８）。
【００４０】
また、第２の鍔部１４のうち、第１の側壁３ｂと相対向する第２の側壁の上端（図２には表れていない）に沿った所定範囲（図１では収容部８，９間の間隔と対応する範囲）に持ち手用の第２の切り欠き部１４ａが切り欠き形成されており、第１の側壁６ｂと相対向する第２の側壁６ｊの上端６ｋ（図１０）に沿った所定範囲（図１では収容部１１，１２間の間隔と対応する範囲）に持ち手用の第２の切り欠き部１４ｂが切り欠き形成されている。
【００４１】
また、図２に示すように、第１の鍔部１３の下面１３ｃであって箱状部４，５の間には段差部１９が形成されている。段差部１９は、運搬用容器本体１Ａに収容される３個の物品２０（図４）のうち、左側の物品２０に形成された第１の突出部２１を収容するためのものである（図１２）。段差部１９は、表面から見ると、下方に凹んだ形状に形成されており、第１の鍔部１３の下面１３ｃから下方に突出している（図２）。段差部１９は、第１の鍔部１３の側壁１３ｅ（図１２）から下方に連続形成された側壁１９ａと、その側壁１９ａの下端から第２の方向に形成された底壁１９ｂと、その底壁１９ｂから第１の鍔部１３の下面１３ｃに向けて形成された側壁１９ｃ（図２）と、この側壁１９ｃと相対向する側壁１９ｄ（図８）とを有する。底壁１９ｂと第１の鍔部１３の下面１３ｃとは相互に平行である。
また、図１２に示すように、収容部１０の側壁１０ａと第２の鍔部１４との間には凹部１０ｊが形成されている。第２の方向に隣接する運搬用容器１を重ねる際に、その運搬用容器１の段差部１９が、凹部１０ｊの上部開口面に重なる。つまり、凹部１０ｊは、第２の方向に隣接する運搬用容器１を重ねる際に、その運搬用容器１の段差部１９を重ねるための空間を確保する役割をしている。
本実施形態では、運搬用容器１は合成樹脂材料を使った真空成形により成形されている。
【００４２】
［コンテナにおける運搬用容器の収容状態］
次に、コンテナにおける運搬用容器１の収容状態について図を参照しつつ説明する。
図５は、図４に示す各運搬用容器がコンテナに収容された状態の平面図であり、図６は、図５の斜視図である。図７は、図５のＡ−Ａ矢視断面図であり、図８は、図７において符号Ｄにて示す領域の拡大図である。
【００４３】
図６に示すように、運搬用容器１を収容するためのコンテナ３０は、上面が開口した箱状に形成されており、相対向する側壁３１，３２と、側壁３１，３２の長手方向の各一端間に形成された側壁３３と、側壁３３と相対向する側壁３４とを備える。また、コンテナ３０を載置するパレット４０は、横断面がコンテナ３０と同じ形状および大きさに形成されており、コンテナ３０の側壁３１と同じ方を向く側壁４１から内方に向けて空洞部４２，４２が形成されている。各空洞部４２はフォークリフトなど、フォークを使った運搬手段によって、コンテナ３０を載置したパレット４０を昇降させるといった作業を行う場合に、フォークを挿入するために使用される。コンテナおよびパレットをパレットコンテナともいう。
【００４４】
運搬用容器１は、向きを揃えて水平方向に相互に隣接した状態でコンテナ３０に収容される。本実施形態では、相互に隣接する一方の運搬用容器１の第２の鍔部１４の鉛直上方に、他方の運搬用容器１の第１の鍔部１３の少なくとも一部が重なった状態となるように、水平方向に３個の運搬用容器１がコンテナ３０に収容されている。また、図７に示すように、水平方向に相互に隣接した状態の３個の運搬用容器１が３段に積層されている。つまり、計９個の運搬用容器１がコンテナ３０に収容されている。さらに、図５に示すように、各運搬用容器１の最外縁と、コンテナ３０の各側壁３１〜３４との間には、僅かな隙間が形成されている。コンテナ３０の側壁３３に沿って収容された運搬用容器１（図５において左側の運搬用容器１）の第１の鍔部１３の先端１３ｄと側壁３３の内壁面３３ａ（図１３（ａ））との間には、僅かな隙間が形成されている。また、コンテナ３０の側壁３４に沿って収容された運搬用容器１（図５において右側の運搬用容器１）の第２の鍔部１４の先端１４ｄと側壁３４の内壁面３４ａ（図６，図１３（ｂ））との間には、僅かな隙間が形成されている。
【００４５】
図７は、図５のＡ−Ａ矢視断面図であり、各運搬用容器１および各物品２０を各箱状部７（図２）の部分で縦方向に切断した断面図である。図８に示すように、運搬用容器１が向きを揃えて水平方向に相互に隣接した状態を水平方向から見て、一方の運搬用容器１（図８において左側の運搬用容器１）の第２の鍔部１４の少なくとも一部と、他方の運搬用容器１（図８において右側の運搬用容器１）の第１の鍔部１３の少なくとも一部とが鉛直方向に重なっている。
したがって、その重なっている分、運搬用容器１の水平方向の外寸を大きくすることができるので、水平方向における物品２０の最大収容数を増加させ、物品２０の収容効率を高めることもできる。また、コンテナ３０に水平方向に収容する運搬用容器１の数を増加させて、コンテナ３０に対する運搬用容器１の収容効率を高めるようにすることもできる。
【００４６】
図９は、図５のＢ−Ｂ矢視断面図であり、各運搬用容器１および各物品２０を持ち手用の第１の切り欠き部１３ｂおよび持ち手用の第２の切り欠き部１４ｂの部分で縦方向に切断した断面図である。図１０は、図９において符号Ｅにて示す領域の拡大図である。
図１０に示すように、運搬用容器１が向きを揃えて水平方向に相互に隣接した状態を水平方向から見て、一方の運搬用容器１（図１０において左側の運搬用容器１）の持ち手用の第２の切り欠き部１４ｂの少なくとも一部と、他方の運搬用容器１（図１０において右側の運搬用容器１）の持ち手用の第１の切り欠き部１３ｂの少なくとも一部とが鉛直方向に重なっている。図５に示すように、持ち手用の第１の切り欠き部１３ｂおよび持ち手用の第２の切り欠き部１４ｂは、それぞれ開口部同士が鉛直方向に殆ど重なっており、手を挿入可能な大きさの開口部が形成されている。また、持ち手用の第１の切り欠き部１３ａおよび持ち手用の第２の切り欠き部１４ａも、それぞれ開口部同士が鉛直方向に殆ど重なっており、手を挿入可能な大きさの開口部が形成されている。このように、一方の運搬用容器１の第２の鍔部１４と、他方の運搬用容器１の第１の鍔部１３とが鉛直方向に重なっても、持ち手用の第１の切り欠き部１３ａ，１３ｂおよび持ち手用の第２の切り欠き部１４ａ，１４ｂが消滅することがない。
したがって、持ち手用の第１の切り欠き部１３ａ，１３ｂおよび持ち手用の第２の切り欠き部１４ａ，１４ｂを利用すれば、運搬用容器１のコンテナ３０に対する収容作業および取出し作業を行い易い。
【００４７】
図１１は、図５のＣ−Ｃ矢視断面図であり、各運搬用容器１および物品２０を段差部１９の部分で縦方向に切断した断面図である。図１２は、図１１において符号Ｆにて示す領域の拡大図である。
図１２に示すように、運搬用容器１が向きを揃えて水平方向に相互に隣接した状態を水平方向から見て、他方の運搬用容器１（図１２において右側の運搬用容器１）に収容された物品２０が、第１の突出部２１の先端２１ａを一方の運搬用容器１（図１２において左側の運搬用容器１）に向けており、かつ、第１の突出部２１の先端２１ａを含む一部と、一方の運搬用容器１の第２の鍔部１４の少なくとも一部とが鉛直方向に重なっている。さらに、一方の運搬用容器１（図１２において左側の運搬用容器１）に収容された物品２０が、第２の突出部２２の先端２２ａを他方の運搬用容器１（図１２において右側の運搬用容器１）に向けており、かつ、第２の突出部２２の先端２２ａを含む一部と、他方の運搬用容器１の第１の鍔部１３の先端１３ｄを含む一部とが鉛直方向に重なっている。
【００４８】
このように、他方の運搬用容器１に収容された物品２０に形成された第１の突出部２１の先端２１ａを含む一部と、一方の運搬用容器１の第２の鍔部１４の少なくとも一部とが鉛直方向に重なり、かつ、一方の運搬用容器１に収容された物品２０に形成された第２の突出部２２の先端２２ａを含む一部と、他方の運搬用容器１の第１の鍔部１３の先端１３ｄを含む一部とが鉛直方向に重なることができる。
したがって、それらの重なっている分、運搬用容器１の水平方向の外寸を大きくすることができるので、水平方向における物品２０の最大収容数を増加させ、物品２０の収容効率を高めることができる。また、コンテナ３０に水平方向に収容する運搬用容器１の数を増加させて、コンテナ３０に対する運搬用容器１の収容効率を高めるようにすることもできる。
【００４９】
図１３は、図１１においてコンテナの側壁近傍に配置された運搬用容器の部分拡大図であり、（ａ）は第１の鍔部近傍の拡大図、（ｂ）は第２の鍔部近傍の拡大図である。
図１３（ａ）に示すように、コンテナ３０の側壁３３の近傍に配置された運搬用容器１の第１の鍔部１３の先端１３ｄが、左に配置された物品２０（第１の鍔部１３の近傍に配置された物品２０）のうち最も第１の方向（コンテナ３０の側壁３３の内壁面３３ａの方向）に位置する部位、つまり、第１の突出部２１の先端２１ａを越えて第１の方向（コンテナ３０の側壁３３の内壁面３３ａの方向）に位置している。換言すると、第１の突出部２１の先端２１ａは、第１の鍔部１３の先端１３ｄよりも運搬用容器１の中心の方（運搬用容器１の内側）に位置している。つまり、第１の鍔部１３の先端１３ｄは、第１の突出部２１の先端２１ａの水平位置よりも水平方向の外方に位置している。また、第１の突出部２１の先端２１ａと第１の鍔部１３の先端１３ｄとは、水平方向に距離Ｓ１離間している。
したがって、コンテナ３０の運搬時に第１の方向（コンテナ３０の側壁３３の内壁面３３ａの方向）への振動や揺れが発生した場合であっても、第１の突出部２１の先端２１ａが第１の鍔部１３の先端１３ｄを越えてコンテナ３０の側壁３３の内壁面３３ａに接触するおそれがないため、物品２０が傷付くおそれがない。
【００５０】
また、図１３（ｂ）に示すように、コンテナ３０の側壁３４の近傍に配置された運搬用容器１の第２の鍔部１４の先端１４ｄが、右に配置された物品２０（第２の鍔部１４の近傍に配置された物品２０）のうち最も第２の方向（コンテナ３０の側壁３４の内壁面３４ａの方向）に位置する部位、つまり、第２の突出部２２の先端２２ａを越えて第２の方向（コンテナ３０の側壁３４の内壁面３４ａの方向）に位置している。換言すると、第２の突出部２２の先端２２ａは、第２の鍔部１４の先端１４ｄよりも運搬用容器１の中心の方（運搬用容器１の内側）に位置している。つまり、第２の鍔部１４の先端１４ｄは、第２の突出部２２の先端２２ａの水平位置よりも水平方向の外方に位置している。また、第２の突出部２２の先端２２ａと第２の鍔部１４の先端１４ｄとは、水平方向に距離Ｓ２離間している。
したがって、コンテナ３０の運搬時に第２の方向（コンテナ３０の側壁３４の内壁面３４ａの方向）への振動や揺れが発生した場合であっても、第２の突出部２２の先端２２ａが第２の鍔部１４の先端１４ｄを越えてコンテナ３０の側壁３４の内壁面３４ａに接触するおそれがないため、物品２０が傷付くおそれがない。
つまり、運搬用容器１を実施すれば、運搬用容器１が短手方向（Ｘ方向）に振動したり揺れたりした場合であっても、物品２０がコンテナ３０の内壁面に接触するおそれがないため、物品２０が傷付くおそれがない。
【００５１】
［実施形態の効果］
（１）上述した実施形態の運搬用容器１を実施すれば、運搬用容器１が向きを揃えて水平方向に相互に隣接した状態を水平方向から見て、一方の運搬用容器１の第２の鍔部１４の少なくとも一部と他方の運搬用容器１の第１の鍔部１３の少なくとも一部とが鉛直方向に重なるように構成されているため、その重なっている分、運搬用容器１の水平方向の外寸を大きくすることができるので、水平方向における物品２０の最大収容数を増加させ、物品２０の収容効率を高めることもできる。
しかも、コンテナ３０に水平方向に収容する運搬用容器１の数を増加させて、コンテナ３０に対する運搬用容器１の収容効率を高めるようにすることもできる。
【００５２】
（２）さらに、第１の鍔部１３の先端１３ｄが、物品２０に形成された第１の突出部２１の先端２１ａを越えて第１の方向（コンテナ３０の側壁３３の内壁面３３ａの方向）に位置しており（第１の鍔部１３の先端１３ｄは、第１の突出部２１の先端２１ａの水平位置よりも水平方向の外方に位置しており）、かつ、第２の鍔部１４の先端１４ｄが、物品２０に形成された第２の突出部２２の先端２２ａを越えて第２の方向（コンテナ３０の側壁３４の内壁面３４ａの方向）に位置している（第２の鍔部１４の先端１４ｄは、第２の突出部２２の先端２２ａの水平位置よりも水平方向の外方に位置している）ため、運搬用容器１が短手方向（Ｘ方向）に振動したり揺れたりした場合であっても、物品２０がコンテナ３０の内壁面に接触するおそれがないため、物品２０が傷付くおそれがない。
特に、上述した実施形態の運搬用容器１は、小さい応力が掛かっても変形し易い突出部を有する物品など、コンテナの内壁面との接触を避けることが必須の物品を運搬するような場合に大きな効果を発揮する。
【００５３】
（３）さらに、一方の運搬用容器１の第２の側壁群の切り欠き形成された上端の鉛直上方に他方の運搬用容器１の第１の鍔部１３が位置し、かつ、他方の運搬用容器１の段差部１９の鉛直下方に一方の運搬用容器１の第２の鍔部１４が位置するため、相互に隣接する運搬用容器１の鉛直方向において重なる部分を作ることができる。
したがって、その重なっている分、運搬用容器１の水平方向の外寸を大きくすることができるので、水平方向における物品２０の最大収容数を増加させ、物品２０の収容効率を高めることもできる。
また、コンテナ３０に水平方向に収容する運搬用容器１の数を増加させて、コンテナ３０に対する運搬用容器１の収容効率を高めるようにすることもできる。
【００５４】
（４）さらに、物品２０が第１の突出部２１を第１の方向（コンテナ３０の側壁３３の内壁面３３ａの方向）に向けて他方の運搬用容器１の収容部に収容された状態を水平方向から見て、第１の突出部２１の先端２１ａを含む一部と、一方の運搬用容器１の第２の鍔部１４の少なくとも一部とが鉛直方向に重なるため、その重なっている分、運搬用容器１の水平方向の外寸を大きくすることができるので、水平方向における物品２０の最大収容数を増加させ、物品２０の収容効率を高めることもできる。
また、コンテナ３０に水平方向に収容する運搬用容器１の数を増加させて、コンテナ３０に対する運搬用容器１の収容効率を高めるようにすることもできる。
【００５５】
（５）さらに、物品２０が第２の突出部２２を第２の方向（コンテナ３０の側壁３４の内壁面３４ａの方向）に向けて一方の運搬用容器１の収容部に収容された状態を水平方向から見て、第２の突出部２２の先端２２ａを含む一部と、他方の運搬用容器１の第１の鍔部１３の少なくとも一部とが鉛直方向に重なるため、その重なっている分、運搬用容器１の水平方向の外寸を大きくすることができるので、水平方向における物品２０の最大収容数を増加させ、物品２０の収容効率を高めることもできる。
また、コンテナ３０に水平方向に収容する運搬用容器１の数を増加させて、コンテナ３０に対する運搬用容器１の収容効率を高めるようにすることもできる。
【００５６】
（６）さらに、運搬用容器１が向きを揃えて水平方向に相互に隣接した状態になったときに、一方の運搬用容器１の持ち手用の第２の切り欠き部１４ａ，１４ｂの少なくとも一部と他方の運搬用容器１の持ち手用の第１の切り欠き部１３ａ，１３ｂの少なくとも一部とを鉛直方向に重ねることができる。つまり、一方の運搬用容器１の第２の鍔部１４と他方の運搬用容器１の第１の鍔部１３とが鉛直方向に重なった場合であっても、持ち手用の第１の切り欠き部１３ａ，１３ｂおよび持ち手用の第２の切り欠き部１４ａ，１４ｂが消滅しないようにすることができる。
したがって、持ち手用の第１の切り欠き部１３ａ，１３ｂおよび持ち手用の第２の切り欠き部１４ａ，１４ｂを利用することができるため、コンテナ３０に対する運搬用容器１の収容作業および取出し作業を行い易い。
【００５７】
〈他の実施形態〉
（１）第２の側壁群の上端を切り欠き形成せず、かつ、切り欠き部１７，１８を形成しないで、第１の側壁群および第２の側壁群の高さを異ならせることにより、第１の鍔部１３および第２の鍔部１４の高さが異なるように形成し、運搬用容器１が向きを揃えて水平方向に相互に隣接した状態を水平方向から見て、一方の運搬用容器１の第２の鍔部１４と他方の運搬用容器１の第１の鍔部１３とが鉛直方向に重なるように構成することもできる。
（２）前述の実施形態の運搬用容器１は、底壁、第１の側壁および第２の側壁がそれぞれ複数ずつ形成された構造であったが、底壁、第１の側壁および第２の側壁がそれぞれ１つずつ形成された構造でも良い。
【００５８】
（３）運搬用容器１が向きを揃えて水平方向に相互に隣接した状態を水平方向から見て、一方の運搬用容器１の第２の鍔部１４の全体と他方の運搬用容器１の第１の鍔部１３の全体とが鉛直方向に重なるように構成することもできる。
（４）運搬用容器１が向きを揃えて水平方向に相互に隣接した状態を水平方向から見て、他方の運搬用容器１（図１２において右側の運搬用容器１）に収容された物品２０に形成された第１の突出部２１の全体が、一方の運搬用容器１（図１２において左側の運搬用容器１）の第２の鍔部１４とが鉛直方向に重なるように構成することもできる。また、一方の運搬用容器１（図１２において左側の運搬用容器１）に収容された物品２０に形成された第２の突出部２２の全体が、他方の運搬用容器１（図１２において右側の運搬用容器１）の第１の鍔部１３とが鉛直方向に重なるように構成することもできる。
【００５９】
（５）運搬用容器１が向きを揃えて水平方向に相互に隣接した状態を水平方向から見て、一方の運搬用容器１（図１０において左側の運搬用容器１）の持ち手用の第２の切り欠き部１４ｂと、他方の運搬用容器１（図１０において右側の運搬用容器１）の持ち手用の第１の切り欠き部１３ｂとが鉛直方向に完全に重なり、持ち手用の第２の切り欠き部１４ｂおよび持ち手用の第１の切り欠き部１３ｂの開口面積がそれぞれ減少しないように構成することもできる。また、持ち手用の第１の切り欠き部１３ａおよび持ち手用の第２の切り欠き部１４ａも、それぞれ開口部同士が鉛直方向に完全に重なり、持ち手用の第１の切り欠き部１３ａおよび持ち手用の第２の切り欠き部１４ａの開口面積がそれぞれ減少しないように構成することもできる。
【００６０】
（６）前述の実施形態では、図１２に示したように、物品２０の第１の突出部２１が第１の鍔部１３の先端１３ｄよりも下方に位置しており、その第１の突出部２１を収容するための段差部１９が第１の鍔部１３の下面１３ｃに形成されている。しかし、第１の突出部２１が第１の鍔部１３の先端１３ｄに近い位置に配置される場合は、段差部１９を第１の鍔部１３の下面１３ｃに形成する必要はない。
【００６１】
（７）前述の実施形態では、運搬用容器１が向きを揃えて水平方向に相互に隣接した場合を説明したが、運搬用容器１が向きを揃えないで水平方向に相互に隣接した場合にも前述の実施形態と同じ効果を奏するように構成することもできる。たとえば、相対向する一対の側壁のうち一方の側壁の上縁から、底壁からの高さが異なる鍔部Ａ，Ｂが張り出した運搬用容器を形成する。そして、その運搬用容器を２個用意し、一方の運搬用容器を他方の運搬用容器に対して水平方向に１８０度反転させ、鍔部Ａ，Ｂが張り出した側壁同士が隣接するように両運搬用容器を隣接させたとき、一方の運搬用容器の鍔部Ａと他方の運搬用容器の鍔部Ｂとを重ね、一方の運搬用容器の鍔部Ｂと他方の運搬用容器の鍔部Ａとを重ねることができる。
（８）また、一方の側壁から張り出した鍔部のうち、鍔部の長手方向中心から外れた箇所に段差部Ｃと、隣接する運搬用容器の段差部Ｃが進入可能なスペースＤとが形成された運搬用容器を形成する。そして、その運搬用容器を２個用意し、一方の運搬用容器を他方の運搬用容器に対して水平方向に１８０度反転させ、段差部ＣおよびスペースＤが形成された側壁同士が隣接するように両運搬用容器を隣接させたとき、一方の運搬用容器の段差部Ｃを他方の運搬用容器のスペースＤに進入させ、一方の運搬用容器のスペースＤに他方の運搬用容器の段差部Ｃを進入させることにより、相互に隣接する運搬用容器間において鉛直方向に重なった部分を作ることができる。
【符号の説明】
【００６２】
１    運搬用容器
１Ａ  運搬用容器本体
２〜７  箱状部
２ａ〜７ａ  底壁
２ｂ〜７ｂ  第１の側壁
２ｃ〜７ｃ  側壁
２ｅ〜７ｅ  第１の側縁
２ｆ〜７ｆ  第２の側縁
３ｃ〜７ｃ  側壁
８〜１２  収容部
８ｇ〜８ｉ  嵌合凹部
９ｇ〜９ｉ  嵌合凹部
１０ｇ〜１０ｉ  嵌合凹部
１１ｇ〜１１ｉ  嵌合凹部
１２ｇ〜１２ｉ  嵌合凹部
１３    第１の鍔部
１３ａ，１３ｂ  持ち手用の第１の切り欠き部
１３ｄ  先端
１４    第２の鍔部
１４ａ，１４ｂ  持ち手用の第２の切り欠き部
１４ｄ  先端
１７，１８  切り欠き部
１９    段差部
２０    物品
２１    第１の突出部
２１ａ  先端
２２    第２の突出部
２２ａ  先端
３０    コンテナ
３１〜３４  側壁
３３ａ，３４ａ  内壁面
４０    パレット
【図１】
2019001520.tif 000003
【図２】
2019001520.tif 000004
【図３】
2019001520.tif 000005
【図４】
2019001520.tif 000006
【図５】
2019001520.tif 000007
【図６】
2019001520.tif 000008
【図７】
2019001520.tif 000009
【図８】
2019001520.tif 000010
【図９】
2019001520.tif 000011
【図１０】
2019001520.tif 000012
【図１１】
2019001520.tif 000013
【図１２】
2019001520.tif 000014
【図１３】
2019001520.tif 000015